(57)【要約】【課題】ダム堤体のコンクリート打設に汎用機械のクローラクレーンを用いる中規模ダムの施工において、打設能力を向上する。【解決手段】施工するダム堤体に沿って立てられた複数の支柱５と、これら複数の支柱５に対し上昇可能に組付けられ、コンクリート打設用のクローラクレーン８が走行する作業ステージ６と、この作業ステージ６を支柱５に対し上昇動作させる駆動手段７とを備える。そして、初期高さの作業ステージ６上を走行するクローラクレーン８によるコンクリート打設でダム堤体が初期高さに達した後、駆動手段７の駆動により作業ステージ６を支柱５に対し上昇動作させてクローラクレーン８による次工程のコンクリート打設を行う。【選択図】図３
2005273186.tif 000002
【特許請求の範囲】
【請求項１】
施工するダム堤体に沿って立てられた複数の支柱と、
これら複数の支柱に対し上昇可能に組付けられ、コンクリート打設用のクローラクレーンが走行する作業ステージと、
この作業ステージを前記支柱に対し上昇動作させる駆動手段とを備えることを特徴とするダムの施工装置。
【請求項２】
前記施工するダム堤体に沿って所定高さに敷設され、コンクリート打設のために前記クローラクレーンが吊り上げるバケットに投入されるコンクリートを搬送するトランスファーカが走行する軌条を備えることを特徴とする請求項１に記載のダムの施工装置。
【請求項３】
前記支柱と平行に立てられ、前記作業ステージの高さ位置に対応して停止するエレベータを備えることを特徴とする請求項１または２に記載のダムの施工装置。
【請求項４】
請求項１から３のいずれか一項に記載の施工装置を用い、
初期高さの作業ステージ上を走行するクローラクレーンによるコンクリート打設でダム堤体が初期高さに達した後、
前記駆動手段の駆動により前記作業ステージを前記支柱に対し上昇動作させてクローラクレーンによる次工程のコンクリート打設を行うことを特徴とするダムの施工方法。
【発明の詳細な説明】
【技術分野】
【０００１】
本発明は、ダムのコンクリート打設にクローラクレーンを用いて行うための施工装置と、その施工装置による施工方法に関する。
【背景技術】
【０００２】
小規模ダムの施工において、ダム堤体のコンクリート打設に汎用機械のクローラクレーンが用いられる。
中規模ダムの施工においては、小規模ダムと比べて堤体が高く、クローラクレーンの走路を盛土等で低い位置に設けると、クローラクレーンのブームが堤体に当たり所定の作業半径が取れないため、走路を高い位置に設置しなければならない。従って、クローラクレーンの走路として、鋼材でトレッスルガーダを構築していた（例えば特許文献１参照）。
【特許文献１】特開平６−４１９３５号公報（段落０００３）
【発明の開示】
【発明が解決しようとする課題】
【０００３】
しかし、トレッスルガーダを高い位置に設置するため、汎用機械のクローラクレーンによるコンクリート打設当初において、ダムの下部でコンクリートボリュームの多いところのコンクリート打設サイクルが長くなり、打設能力が低下してしまう問題があった。
【０００４】
本発明の課題は、ダム堤体のコンクリート打設に汎用機械のクローラクレーンを用いる中規模ダムの施工において、打設能力を向上することである。
【課題を解決するための手段】
【０００５】
以上の課題を解決するため、請求項１に記載の発明は、例えば図１から図３に示すように、施工するダム堤体１に沿って立てられた複数の支柱５と、これら複数の支柱５に対し上昇可能に組付けられ、コンクリート打設用のクローラクレーン８が走行する作業ステージ６と、この作業ステージ６を前記支柱５に対し上昇動作させる駆動手段７とを備えるダムの施工装置を特徴とする。
【０００６】
このように、駆動手段の駆動により複数の支柱に沿って上昇動作する作業ステージ上をコンクリート打設用のクローラクレーンが走行するので、コンクリート打設当初の打設サイクルを適切に選定した上で、打設進行によるダム堤体の上昇に合わせて打設サイクルを選定できる。
すなわち、コンクリート打設当初は、ダム堤体下部のコンクリート打設サイクルが適切となるように、クローラクレーンの走路である作業ステージの設置高さを決めておく。そして、例えばコンクリート打設高さが作業ステージの高さより高くなり、打設能力が低下してくると、駆動手段の駆動により支柱に沿って作業ステージをリフトアップすることで、最適な打設能力を確保できる。
【０００７】
請求項２に記載の発明は、請求項１に記載のダムの施工装置であって、例えば図１から図３に示すように、前記施工するダム堤体１に沿って所定高さに敷設され、コンクリート打設のために前記クローラクレーン８が吊り上げるバケット４に投入されるコンクリートを搬送するトランスファーカ３が走行する軌条２を備えることを特徴とする。
【０００８】
このように、コンクリート打設のためにクローラクレーンが吊り上げるバケットに投入されるコンクリートを搬送するトランスファーカが走行する軌条は、施工するダム堤体に沿って所定高さに敷設しておけば良い。
【０００９】
請求項３に記載の発明は、請求項１または２に記載のダムの施工装置であって、例えば図３に示すように、前記支柱５と平行に立てられ、前記作業ステージ６の高さ位置に対応して停止するエレベータ（エレベータ等９参照）を備えることを特徴とする。
【００１０】
このように、作業ステージの高さ位置に対応して停止するエレベータを備えておけば、クローラクレーンの運転者が地上と作業ステージとの間を容易に行き来できる。
【００１１】
請求項４に記載の発明は、例えば図１から図３に示すように、請求項１から３のいずれか一項に記載の施工装置を用い、初期高さの作業ステージ６上を走行するクローラクレーン８によるコンクリート打設でダム堤体１が初期高さに達した後、前記駆動手段７の駆動により前記作業ステージ６を前記支柱５に対し上昇動作させてクローラクレーン８による次工程のコンクリート打設を行うことを特徴とする。
【００１２】
このように、初期高さの作業ステージ上を走行するクローラクレーンによるコンクリート打設でダム堤体が初期高さに達した後、駆動手段の駆動により作業ステージを支柱に対し上昇動作させてクローラクレーンによる次工程のコンクリート打設を行うことで、コンクリート打設当初の打設サイクルを適切に選定した上で、打設進行によるダム堤体の上昇に合わせて打設サイクルを選定できる。
【発明の効果】
【００１３】
本発明によれば、コンクリート打設当初は、ダム堤体下部のコンクリート打設サイクルが適切となるように、クローラクレーンの走路である作業ステージの設置高さを決めておき、例えばコンクリート打設高さが作業ステージの高さより高くなり、打設能力が低下してくると、駆動手段の駆動により支柱に沿って作業ステージをリフトアップすることで、最適な打設能力を確保できる。
従って、中規模ダムの施工において、費用が安く抑えられる汎用機械のクローラクレーンを用いながら、打設能力の向上を達成できる。
【発明を実施するための最良の形態】
【００１４】
以下、図を参照して本発明を実施するための最良の形態を詳細に説明する。
本発明を適用したダム施工装置の一実施形態の構成を示す図１から図３において、１はダム堤体、２は走行軌条、３はトランスファーカ、４はコンクリートバケット、５は支柱、６は作業ステージ、７は駆動手段、８はクローラクレーン、９はエレベータ塔である。
【００１５】
図示のように、施工するダム堤体１に沿って所定高さに走行軌条２が敷設されている。この走行軌条２には、図示しないバッチャープラントからコンクリートを搬送するトランスファーカ３が走行する。このトランスファーカ３は、走行軌条２上の所定位置において、コンクリートバケット４にコンクリートを投入する。
【００１６】
そして、ダム堤体１と走行軌条２の間において、図示例では、トラス構造体による支柱５が４本を１組として立てられている。この４本１組の支柱５に対し、図３に示したように、トラス構造体による作業ステージ６が上昇可能に組付けられている。すなわち、４本の支柱５に対し作業ステージ６が四隅部で上昇動作させる例えば油圧ユニット方式の駆動手段７をそれぞれ介して組付けられている。
【００１７】
作業ステージ６の上面には、覆工板や鋼板が敷き詰められていて、この作業ステージ６上をコンクリート打設用のクローラクレーン８が走行する。図３の例では、作業ステージ６上の周囲に防護柵６ａが設けられている。
さらに、図３に示すように、支柱５と平行で作業ステージ６の端部に接続するエレベータ９が立てられている。
【００１８】
以上において、支柱５及びエレベータ塔９は、作業ステージ６の上昇に応じて上方に延長される。すなわち、コンクリート打設当初、支柱５は作業ステージ６の高さに合わせて必要な高さ分設置しておく。そして、作業ステージ６の上昇に合わせて支柱５を継ぎ足してゆく。その支柱５の継ぎ足しはクローラクレーン８で行う。
また、エレベータ塔９内部の昇降籠（エレベータ）は、作業ステージ６の高さ位置に対応して停止する。そして、支柱５及び作業ステージ６は、施工するダム堤体１の長さに応じて、図２に示したように、複数ユニット構築される。クローラクレーン８は、端部の作業ステージ６から乗り入れられる。
【００１９】
次に、以上のダム施工装置による中規模ダムのコンクリート打設施工について説明する。
先ず、コンクリート打設当初は、堤体下部のコンクリート打設サイクルが適切となるように作業ステージ６の設置高さを予め決めておき、例えば図３に示す高さＨ１に設定しておく。この高さの作業ステージ６上において、コンクリートバケット４を吊り上げてクローラクレーン８を走行させ、堤体にコンクリートを打設していく。
【００２０】
そして、例えばコンクリート打設高さが作業ステージ６の高さより高くなると、適切なコンクリート打設サイクルを考慮して、四隅部の駆動手段７により支柱５に沿って作業ステージ６を所定量リフトアップする。例えば図３に示した高さＨ２に設定する。この高さの作業ステージ６上において、前述と同様に、コンクリートバケット４を吊り上げてクローラクレーン８を走行させ、堤体にコンクリートを打設していく。
その後、作業ステージ６を次の高さＨ３に設定する等して、施工するダム堤体１の天端までコンクリート打設を行う。
【００２１】
以上の通り、最適な打設能力を確保しながら、中規模ダムのコンクリート打設に費用が安く抑えられる汎用機械のクローラクレーン８を使用できる。
従って、初めから高い位置に設置されるトレッスルガーダ上をクローラクレーンが走行する場合と比較して、打設能力の向上が図れる。
【００２２】
なお、以上の実施形態においては、トラス構造体による支柱及び作業ステージとしたが、本発明はこれに限定されるものではなく、鋼管による支柱や鋼板ボックス構造体による作業ステージであっても良い。
また、その他、具体的な細部構造等についても適宜に変更可能であることは勿論である。
【図面の簡単な説明】
【００２３】
【図１】本発明を適用したダム施工装置の一実施形態の構成を示すもので、クローラクレーンによるコンクリート打設を示した概略側面図である。
【図２】図１のダム施工装置を示した概略正面図である。
【図３】図１及び図２のダム施工装置を示した概略斜視図である。
【符号の説明】
【００２４】
１  ダム堤体
２  走行軌条
３  トランスファーカ
４  コンクリートバケット
５  支柱
６  作業ステージ
７  駆動手段
８  クローラクレーン
９  エレベータ塔
【図１】
2005273186.tif 000003
【図２】
2005273186.tif 000004
【図３】
2005273186.tif 000005